(57)【要約】【課題】自立した梱包状態のまま安全に開梱作業をすることができる技術を提供する。【解決手段】下側梱包箱２には、テレビ３のスタンド取付孔３１に対応する位置に第１扉部２１ａが形成され、下側梱包箱２の第１扉部２１ａに対向する面に第２扉部２１ｂが形成されている。第１扉部２１ａと第２扉部２１ｂとは、外側に向かって開いた状態で留まる。スタンド７をスタンド取付孔３１に向かって差し込んだときに差込方向の力が働いても、第２扉部２１ｂの下辺が下側梱包箱２の設置面で係止して、テレビ３と下側梱包箱２が倒れるのを防ぎ、安全に作業することができる。【選択図】図６
2014019484.tif 000002
【特許請求の範囲】
【請求項１】
薄型表示装置の梱包箱であって、
前記薄型表示装置の上部を収容する上側梱包箱と、
前記薄型表示装置の下部を収容する下側梱包箱とを備え、
前記下側梱包箱は、自立した梱包状態で、
前記薄型表示装置のスタンドの取り付け位置を露出可能に形成された第１扉部と、
該第１扉部に対向する面に形成された第２扉部とを有し、
前記第１扉部の下辺と前記第２扉部の下辺とは、設置面と平行を維持して外側に向かって開けるように構成されている
ことを特徴とする梱包箱。
【請求項２】
前記下側梱包箱の互いに対向する面には、前記第１扉部又は前記第２扉部を形成するための倒立したＴ字状のミシン目が設けられている
ことを特徴とする請求項１に記載の梱包箱。
【請求項３】
前記第１扉部と前記第２扉部とのそれぞれは、差込片と差込孔とを有し、
前記差込片が前記差込孔に差し込まれることで前記第１扉部又は前記第２扉部が閉じた状態となり、前記差込片が前記差込孔から抜かれることで前記第１扉部又は前記第２扉部が開ける状態となる
ことを特徴とする請求項１に記載の梱包箱。
【請求項４】
底面と前記薄型表示装置との間に介在する緩衝材を備え、
前記緩衝材は、前記第１扉部の方向と前記第２扉部の方向とに分離可能に構成されている
ことを特徴とする請求項１から３までのいずれか一項に記載の梱包箱。
【請求項５】
分離する前記緩衝材の一方が、前記第１扉部に固着され、
分離する前記緩衝材の他方が、前記第２扉部に固着されている
ことを特徴とする請求項４に記載の梱包箱。
【請求項６】
前記薄型表示装置を保護する緩衝材を備え、
前記緩衝材には、前記第１扉部の縁又は前記第２扉部の縁と前記下側梱包箱の縁とを連結して固定し、前記第１扉部又は前記第２扉部を開いた状態に固定するための切れ込みが設けられている
ことを特徴とする請求項１から５までのいずれか一項に記載の梱包箱。
【発明の詳細な説明】
【技術分野】
【０００１】
本発明は、薄型表示装置の梱包箱に関する。
【背景技術】
【０００２】
近年、テレビジョン受像機（以下、テレビと呼ぶ）等の大型化が進み、必然的にテレビを収容する梱包箱のサイズも大きくなってきている。そのため、少しでも搬送時のサイズを小さくするために、テレビからスタンドを取り外した状態で梱包することがある（例えば、特許文献１を参照）。この場合、テレビにスタンドを取り付けるには、横倒しにした梱包箱からテレビを取り出し、更にテレビを横倒しにした状態でスタンドを取り付け、再びテレビを起こすことにより、スタンドが取り付けられた状態でテレビを設置することができる。
【０００３】
ところで、大型化したテレビは、ものによっては４０ｋｇ以上の重量を有するものもある。そのため、梱包箱を横倒しにする際に、危険を伴ったり、テレビのバックライトや光学シート等の内部構造に影響が生じたりする虞がある。
【０００４】
これに対して、例えば、テレビのスタンド取り付け位置に対応して設けられたミシン目に沿って梱包箱部分を切り取ることにより、梱包箱が立った状態でテレビのスタンド取り付け位置が露出する開口を形成し、テレビが立った状態でスタンドを取り付ける技術が知られている（例えば、特許文献２を参照）。
【先行技術文献】
【特許文献】
【０００５】
【特許文献１】特開２００４−１２３２００号公報
【特許文献２】特開２００６−１６０３３５号公報
【発明の概要】
【発明が解決しようとする課題】
【０００６】
しかしながら、特許文献２の技術では、梱包箱を横倒しにしないものの、梱包状態でスタンドをテレビ側に押し込む際に、梱包箱を押し込み方向に倒してしまう危険性があった。また、特許文献１の技術では、梱包箱を横倒しにしてスタンドを取り付けるため、作業に危険性を伴っていた。
【０００７】
本発明は上記課題に鑑みてなされたものであり、自立した梱包状態のまま安全に開梱作業をすることができる技術を提供することを目的とする。
【課題を解決するための手段】
【０００８】
本発明の梱包箱は、薄型表示装置の梱包箱であって、前記薄型表示装置の上部を収容する上側梱包箱と、前記薄型表示装置の下部を収容する下側梱包箱とを備え、前記下側梱包箱は、自立した梱包状態で、前記薄型表示装置のスタンドの取り付け位置を露出可能に形成された第１扉部と、該第１扉部に対向する面に形成された第２扉部とを有し、前記第１扉部の下辺と前記第２扉部の下辺とは、設置面と平行を維持して外側に向かって開けるように構成されていることを特徴とする。
また、前記下側梱包箱の互いに対向する面には、前記第１扉部又は前記第２扉部を形成するための倒立したＴ字状のミシン目が設けられていてもよい。
また、前記第１扉部と前記第２扉部とのそれぞれは、差込片と差込孔とを有し、前記差込片が前記差込孔に差し込まれることで前記第１扉部又は前記第２扉部が閉じた状態となり、前記差込片が前記差込孔から抜かれることで前記第１扉部又は前記第２扉部が開ける状態となってもよい。
また、底面と前記薄型表示装置との間に介在する緩衝材を備え、前記緩衝材は、前記第１扉部の方向と前記第２扉部の方向とに分離可能に構成されていてもよい。
また、分離する前記緩衝材の一方が、前記第１扉部に固着され、分離する前記緩衝材の他方が、前記第２扉部に固着されていてもよい。
また、前記薄型表示装置を保護する緩衝材を備え、前記緩衝材には、前記第１扉部の縁又は前記第２扉部の縁と前記下側梱包箱の縁とを連結して固定し、前記第１扉部又は前記第２扉部を開いた状態に固定するための切れ込みが設けられてもよい。
【発明の効果】
【０００９】
本発明によれば、自立した梱包状態のまま安全に開梱作業をすることができる。
【図面の簡単な説明】
【００１０】
【図１】本発明に係る実施形態の梱包箱の外観を示す図である。
【図２】図１（ｂ）に示す梱包箱のテレビの表面側を示す図である。
【図３】本実施形態の梱包箱の扉部が開いた状態を示す図である。
【図４】図３に示す梱包箱にアドが設けられている様子を示す図である。
【図５】図４に示すアドの構造を示す図である。
【図６】図３（ａ）に示す梱包箱からアドを取り外してスタンドを取り付ける様子を示す図である。
【図７】図２に示す梱包箱の扉部がアドを伴って開く様子を示す図である。
【図８】図２に示す梱包箱の扉部がアドを伴って開く様子を示す図である。
【図９】本実施形態の梱包箱のアドを示す図である。
【図１０】図９に示す梱包箱のアドを用いて扉部を開いた状態で固定する様子を示す図である。
【図１１】本実施形態の扉部の他の形状を示す図である。
【図１２】本実施形態の扉部の他の形状を示す図である。
【発明を実施するための形態】
【００１１】
以下、図を参照して本発明の実施形態を詳細に説明する。
【００１２】
図１に示すように、本実施形態の梱包箱は、上側梱包箱１と下側梱包箱２とを備え、薄型表示装置（ここではテレビ３）を収容可能に構成されている。図１（ａ）に示す上側梱包箱１は、図１（ｂ）に示す下側梱包箱２に上方から覆い被さっている。
【００１３】
図１（ｂ）に示すように、上側梱包箱１を取り外すと、下側梱包箱２が現れる。図１（ｂ）では、テレビ３の背面側を示している。下側梱包箱２は、テレビ３の上部を露出させた状態で、テレビ３を保護するための緩衝材となるアド４、５、６を介してテレビ３の下部を支えて固定している。
【００１４】
テレビ３の背面に対応する下側梱包箱２には、第１扉部２１ａが形成されている。また、図２に示すように、下側梱包箱２の第１扉部２１ａに対向するテレビ３の表示部側の面には、第２扉部２１ｂが形成されている。以下、第１扉部２１ａと第２扉部２１ｂとを区別しない場合、単に「扉部」と呼ぶ。
【００１５】
下側梱包箱２には倒立したＴ字状にミシン目２５が形成されており、ミシン目２５で切り離されることにより、扉部が形成される。扉部は、扉部の下辺が下側梱包箱２の設置面と平行を維持して、外側に向かって観音開きが可能である。このように、扉部の下辺が下側梱包箱２の設置面を摺動しながら開くように、扉部を形成することで、扉部が設置面で係止して、扉部を開いたままの状態で保持することができる。扉部には、外側に向かって開きやすいように折り曲げ線２６が設けられている。
【００１６】
図３は、下側梱包箱２の扉部を外側に向かって左右に開いた状態を示した図である。扉部は、外側に開いた状態で留まっている。扉部を開くと、テレビ３の下辺中央部を支えるアド５が露出する。
【００１７】
図４に示すように、下側梱包箱２には、テレビ３を表示部側から見たときに、テレビ３の左下隅部を支えるアド４とテレビ３の下辺中央部を支えるアド５と右下隅部を支えるアド６とが設けられている。
【００１８】
図５に示すように、アド５は、第１アド５１と第２アド５２とに分離可能に構成されている。梱包状態では、第２アド５２に設けられた第１アド嵌合孔５２ａに、第１アド５１に設けられた第１アド突起部５１ａが嵌合して係止する。第１アド５１と第２アド５２を互いに引き離す方向（梱包状態では第１扉部２１ａ方向及び第２扉部２１ｂ方向）に引っ張ることで、第１アド突起部５１ａが第１アド嵌合孔５２ａから引き抜かれ、第１アド５１と第２アド５２とが分離する。
【００１９】
このとき、第１アド５１と第２アド５２を互いに引き離す方向に引っ張ることにより、下側梱包箱２及びテレビ３に対して引っ張り方向の力が働き、下側梱包箱２及びテレビ３が倒れる虞がある。しかし、梱包状態において扉部が外側に開いた状態で留まっていることにより、引っ張り方向の力が働いたときに、扉部の下辺が下側梱包箱２の設置面で支えられ、下側梱包箱２及びテレビ３が倒れることを防ぐことができる。
【００２０】
図６は、下側梱包箱２からアド５が取り外された状態を示す図である。アド５が取り外されると、テレビ３のスタンド取付孔３１が露出する。また、アド５が取り外されたことにより、テレビ３の下辺中央は、アド４とアド６とによって下側梱包箱２の底面から浮いた状態で支えられている。つまり、アド５を取り外したことにより、テレビ３の下側中央にスタンド７を差し込み可能な空間が形成される。
【００２１】
そこで、テレビ３のスタンド取付孔３１に合わせて、スタンド７をテレビ３の下側中央の空間に差し込み、ネジ留めする。
【００２２】
このときも、スタンド７をテレビ３の下側中央の空間に差し込むことによって、下側梱包箱２及びテレビ３に対して差し込み方向の力が働くが、扉部が外側に開いた状態で留まっているため、差し込み方向の力が働いたときに、扉部の下辺が下側梱包箱２の設置面で支えられ、下側梱包箱２及びテレビ３が倒れることを防ぐことができる。
【００２３】
このように、本実施形態によれば、梱包箱やテレビ３を横倒し等することなく自立した梱包状態のまま、開梱作業を行うことができる。そのため、作業者の負担を軽減することができるとともに、広い作業スペースを不要とすることができる。また、スタンド７の取り付け工程中に、下側梱包箱２及びテレビ３が扉部側に倒れそうになっても、扉部の下辺が下側梱包箱２の設置面で係止して、下側梱包箱２及びテレビ３が倒れることを防ぐことができ、安全に作業することができる。
【００２４】
なお、上記実施形態では、扉部を外側に開いてアド５を露出させた後に、アド５を取り外すものとして説明したが、例えば、図７に示すように、予め扉部の内側面にアド５を固着させ、扉部が外側に開くときに、アド５が扉部の移動に伴ってテレビ３の下部から引き抜かれるように構成してもよい。これによれば、アド５を引き抜く作業工程を減らすことができる上に、扉部の下辺がアド５によって強化されるため、更に作業中に下側梱包箱２とテレビ３とを倒れにくくすることができる。
【００２５】
また、図８に示すように、扉部を開いたときに、扉部の移動に伴ってアド５が４分割されて、扉部に固着した状態で引き抜かれ、扉部のそれぞれがアド５によって強化されるようにしてもよい。図示では、第１アド５１が、第１ａアド５１１と第１ｂアド５１２とで構成され、第２アド５２が第２ａアド５２１と第２ｂアド５２２とで構成されている。
【００２６】
また、テレビ３の緩衝材としてアド４、５、６以外に他のアドが同梱されている場合、そのアドを用いて扉部を強化するようにしてもよい。
【００２７】
例えば、図９に示すように、テレビ３の上部を保護するアドとして、テレビ３を表示部側から見たときに、テレビ３の左上隅部を支えるアド１０と上辺中央部を支えるアド９と右上隅部を支えるアド８とが設けられていてもよい。アド１０には、ミシン目２８が設けられており、ミシン目２８で切り離されることによりアド１０ａとアド１０ｂとに分離可能に構成されている。同様に、アド８にもミシン目２８が設けられており、ミシン目２８によりアド８ａとアド８ｂとに分離可能に構成されている。
【００２８】
図１０（ａ）に示すように、ミシン目２８で切り離したアド８ａ、アド８ｂ、アド１０ａ、及びアド１０ｂを、開いた状態の扉部の上縁と下側梱包箱２の上縁とにまたがるようにそれぞれ押し刺すことで、アド８ａ、アド８ｂ、アド１０ａ、及びアド１０ｂによって扉部を開いた状態で固定させることができる。なお、アド８ａ、アド８ｂ、アド１０ａ、及びアド１０ｂには、開いた状態の扉部の上縁と下側梱包箱２の上縁とにまたがるように連結して固定するための切れ込みが予め設けられていてもよい。
【００２９】
また、図１０（ｂ）に示すように、スタンド７が差し込まれない側の扉部（図示では第１扉部２１ａ）は、アド９を用いて開いた状態で固定されてもよい。なお、図１０（ｂ）では、ミシン目２８で分離させた後のアド１０ａとアド８ａとによって、スタンド７が差し込まれる側の扉部（図示では第２扉部２１ｂ）を開いた状態で固定させているが、いずれのアドで扉部を固定させるかは限定されない。例えば、アド１０ｂとアド８ｂであってもよいし、ミシン目２８で分離させる前のアド１０とアド８とであってもよい。このとき、扉部の内側面には、テレビ３の下辺中央を支えるアド５が固着されていてもよい。また、アド５を用いて扉部の上縁と下側梱包箱２の上縁とを固定して、扉部を開いた状態で固定させてもよい。この場合も、予めアド５に切れ込みを設けてもよい。
【００３０】
また、上記実施形態では、扉部の境界をミシン目２５で構成したが、他の形状で構成してもよい。例えば、図１１（ａ）に示すように、扉部は、差込孔２１６に差込片２１５が差し込まれることにより、閉じた状態となり、図１１（ｂ）に示すように、差込孔２１６から差込片２１５が引き抜かれることにより開いた状態となるように構成されてもよい。この場合、扉部を開いた後に再び閉じることができ、梱包箱の再使用が可能となる。
【００３１】
また、扉部は、観音開き（両開き）する形状ではなく、横方向に片開きする形状であってもよい。例えば、ミシン目で切り離されることによって、図１２（ａ）に示すように、片開きの扉部が形成されてもよいし、図１２（ｂ）に示すように、差込孔２１６から差込片２１５が引き抜かれることで片開きの扉部が形成されてもよい。
【００３２】
本発明は上述した実施の形態に限定されるものではなく、本発明の趣旨を逸脱しない範囲で種々様々に変更が可能であることは言うまでもない。例えば、扉部が形成される位置は、テレビ３のスタンド取り付け位置に対応していればよい。また、上側梱包箱１と下側梱包箱２とは一体として構成され、梱包箱の側壁を一周するように予め設けられたミシン目で切り離されることにより、上側梱包箱１と下側梱包箱２とに分離するように構成されてもよい。なお、上記実施形態において、同様の機能を示す構成には、同一の符号を付してある。
【符号の説明】
【００３３】
１：上側梱包箱
２：下側梱包箱
３：テレビ
４、５、６、８（８ａ、８ｂ）、９、１０（１０ａ、１０ｂ）：アド
７：スタンド
２１ａ：第１扉部
２１ｂ：第２扉部
２５、２８：ミシン目
２６：折り曲げ線
３１：スタンド取付孔
５１：第１アド
５２：第２アド
５１ａ：第１アド突起部
５２ａ：第１アド嵌合孔
５１１：第１ａアド
５１２：第１ｂアド
５２１：第２ａアド
５２２：第２ｂアド
２１５：差込片
２１６：差込孔
【図１】
2014019484.tif 000003
【図２】
2014019484.tif 000004
【図３】
2014019484.tif 000005
【図４】
2014019484.tif 000006
【図５】
2014019484.tif 000007
【図６】
2014019484.tif 000008
【図７】
2014019484.tif 000009
【図８】
2014019484.tif 000010
【図９】
2014019484.tif 000011
【図１０】
2014019484.tif 000012
【図１１】
2014019484.tif 000013
【図１２】
2014019484.tif 000014